(57)【要約】【課題】ネットワークシステムにおいて、ＤＬＮＡクライアントの電源遮断時にＤＬＮＡサーバの消費電力を低減する。【解決手段】サーバ機器であるＨＤＤレコーダ１は、クライアント機器であるテレビジョン受像機２に対してＤＬＮＡ機能を無効にした状態で待機する。テレビジョン受像機２から送信された起動情報を受信したとき、ＨＤＤレコーダ１は、テレビジョン受像機２に対してＤＬＮＡ機能を有効にした状態で待機する。【選択図】図１
2012234392.tif 000002
【特許請求の範囲】
【請求項１】
クライアント機器に対して映像信号及び／又は音声信号を含む情報を送信するサーバ機器において、
前記クライアント機器との間で起動情報以外の情報を送受信する機能を無効にした状態で待機し、
前記クライアント機器から送信された起動情報を受信したとき、該クライアント機器との間で起動情報以外の情報を送受信する機能を有効にした状態で待機することを特徴とするサーバ機器。
【請求項２】
前記クライアント機器から送信された終了情報を受信したとき、該クライアント機器との間で起動情報以外の情報を送受信する機能を無効にした状態で待機することを特徴とする請求項１に記載のサーバ機器。
【請求項３】
前記クライアント機器とは、ＤＬＮＡ（Digital Living Network Alliance）によるガイドラインに準拠したプロトコルによって通信されることを特徴とする請求項１又は請求項２に記載のサーバ機器。
【請求項４】
請求項１乃至請求項３のいずれか一項に記載のサーバ機器と前記クライアント機器を備えたことを特徴とするネットワークシステム。
【発明の詳細な説明】
【技術分野】
【０００１】
本発明は、家庭内において映像や音声に関する情報を送受信するホームネットワークの構築に適したサーバ機器に関する。
【背景技術】
【０００２】
従来から、リビングを含むホームネットワークに関する種々の技術が検討されている。例えば、特許文献１には、電源がオンである状態と、電源がオフであるが電源をオンとするパケットを受信することで電源をオンにすることが可能な状態とを有し、ネットワーク上に接続されている、ネットワーク上の他のネットワーク機器のリストを持つネットワーク機器に関する技術が示されている。また、特許文献２には、電源遮断状態で動作する電源部が制御信号を受信し、通電状態のみで動作する通信部を起動する技術が示されている。また、特許文献３には、配信処理手段の有効／無効に関する技術が示されている。また、特許文献４には、操作可能な機能のみを有効とした操作ガイドを提示する技術が示されている。また、特許文献５には、ネットワーク内の無効な位置識別子を有効な位置識別子に変換する技術が示されている。
【先行技術文献】
【特許文献】
【０００３】
【特許文献１】特開２００３−２８３５００号公報
【特許文献２】特開２００９−１７６２１９号公報
【特許文献３】特開２００９−８９２７６号公報
【特許文献４】特開２００６−３５０８２６号公報
【特許文献５】特開２００８−２３６３４４号公報
【発明の概要】
【発明が解決しようとする課題】
【０００４】
ところで、近年ホームネットワークの普及に伴い、機器の標準化を目指して、ＤＬＮＡ（Digital Living Network Alliance）によるガイドラインが策定され、対応するサーバ機器（ＤＬＮＡサーバ）としてのＨＤＤレコーダやクライアント機器（ＤＬＮＡクライアント）としてのテレビジョン受像機が開発されている。このようなホームネットワークにおいて、ＤＬＮＡサーバは、ＤＬＮＡクライアントからの要求に応えるため、ＤＬＮＡ通信機能を有効とした状態で待機する必要があった。ところが、ＤＬＮＡ通信機能を有効とした状態で待機するには、ＣＰＵ等による制御回路を稼働させる必要があった。一般に、ＣＰＵに用いられる素子は、高度かつ高速な処理能力を要求されることから、相応の電力を消費する傾向にある。
【０００５】
ところがＤＬＮＡクライアントの電源が遮断されている場合であっても、ＤＬＮＡサーバの側でＤＬＮＡ通信機能を維持するためにＣＰＵに給電する必要があり、ＤＬＮＡサーバの消費電力低減の妨げとなっていた。上記特許文献に示された技術を適用しても、上記課題を解決することができない。
【０００６】
ＨＤＭＩ（High-Definition Multimedia Interface）ケーブルを用いてテレビジョン受像機と接続できる距離にＨＤＤレコーダが設置されている場合は、ＨＤＭＩケーブルを介してテレビジョン受像機の起動状態をＨＤＤレコーダに送信し、ＨＤＤレコーダのＣＰＵの稼働状態に反映させることができる。しかしながら、両者が異なる部屋などの離れた場所に設置されている場合には、ＨＤＭＩケーブルによる接続は現実的ではない。
【０００７】
本発明は、上記課題を解決するためになされたものであり、ＤＬＮＡクライアントの電源遮断時にＤＬＮＡサーバの消費電力を低減することができるネットワークシステムを提供することを目的とする。
【課題を解決するための手段】
【０００８】
上記目的を達成するために請求項１の発明は、クライアント機器に対して映像信号及び／又は音声信号を含む情報を送信するサーバ機器において、前記クライアント機器との間で起動情報以外の情報を送受信する機能を無効にした状態で待機し、前記クライアント機器から送信された起動情報を受信したとき、該クライアント機器との間で起動情報以外の情報を送受信する機能を有効にした状態で待機することを特徴とする。
【０００９】
請求項２の発明は、請求項１に記載のサーバ機器において、前記クライアント機器から送信された終了情報を受信したとき、該クライアント機器との間で起動情報以外の情報を送受信する機能を無効にした状態で待機することを特徴とする。
【００１０】
請求項３の発明は、請求項１又は請求項２に記載のサーバ機器において、前記クライアント機器とは、ＤＬＮＡ（Digital Living Network Alliance）によるガイドラインに準拠したプロトコルによって通信されることを特徴とする。
【００１１】
請求項４の発明は、請求項１乃至請求項３のいずれか一項に記載のサーバ機器と前記クライアント機器を備えたことを特徴とするネットワークシステムである。
【発明の効果】
【００１２】
請求項１の発明によれば、サーバ機器は、クライアント機器との間で起動情報以外の情報を送受信する機能を無効にした状態で待機するので、この間ＣＰＵ等による制御回路に対する給電を不要又は最小限にすることができる。従って、クライアント機器の電源遮断時にサーバ機器の消費電力を低減することができる。また、クライアント機器から送信された起動情報を受信したとき、サーバ機器は、クライアント機器との間で起動情報以外の情報を送受信する機能を有効にした状態で待機するので、クライアント機器からの要求に迅速に対応することができる。
【００１３】
請求項２の発明によれば、クライアント機器から送信された終了情報を受信したとき、サーバ機器は、該クライアント機器との間で起動情報以外の情報を送受信する機能を無効にした状態で待機するので、一旦起動したクライアント機器が終了すると、ＣＰＵ等による制御回路に対する給電を不要又は最小限にすることができる。従って、クライアント機器の電源遮断時にサーバ機器の消費電力を低減することができる。
【００１４】
請求項３の発明によれば、ＤＬＮＡサーバ機器の消費電力を低減することができる。
【００１５】
請求項４の発明によれば、消費電力の少ないネットワークシステムを構築できる。
【図面の簡単な説明】
【００１６】
【図１】本発明の一実施形態によるネットワークシステムの構成を示すブロック図。
【図２】同システムの動作を示すフローチャート。
【発明を実施するための形態】
【００１７】
本発明の一実施形態によるホームネットワークシステムについて図面を参照して説明する。図１はホームネットワークシステムを示す。ホームネットワークシステムは、ＨＤＤレコーダ１と、テレビジョン受像機２と、パーソナルコンピュータ３等がＬＡＮ（Local Area Network）４によって接続されたネットワークシステムであり、主として家庭内において、各機器間で相互に映像又は音声の送受信を行うために構築される。ＬＡＮ４は、有線であっても無線であってもよい。
【００１８】
ＨＤＤレコーダ（サーバ機器）１は、映像信号及び／又は音声信号をハードディスクに記録し、テレビジョン受像機２又はパーソナルコンピュータ３からの要求に応じて、映像信号及び／又は音声信号をＬＡＮ４を介して送信する。テレビジョン受像機（クライアント機器）２は、ＨＤＤレコーダ１から送信された映像信号及び音声信号を受信して、モニタ装置及びスピーカ装置から出力する。パーソナルコンピュータ（サーバ機器、クライアント機器）３は、必要に応じてネットワークシステムに組み込まれ、インストールされたアプリケーションによってサーバ機器又はクライアント機器として機能する。
【００１９】
ホームネットワーク内のサーバ機器とクライアント機器とは、例えばＤＬＮＡ（Digital Living Network Alliance）によるガイドラインに準拠したプロトコルによって通信される。
【００２０】
ＨＤＤレコーダ１は、チューナ１１と、ハードディスク駆動装置１２と、ＬＡＮインターフェース１３と、メモリ１４と、ＣＰＵ１５等を有している。チューナ１１は、放送局から配信された映像信号及び音声信号を含む放送信号を受信する。ハードディスク駆動装置１２は、チューナ１１によつて受信された放送信号をハードディスクに記録する。ＬＡＮインターフェース１３は、テレビジョン受像機２又はパーソナルコンピュータ３との通信を行う。例えば、テレビジョン受像機２又はパーソナルコンピュータ３からの要求に応じて、ハードディスク駆動装置１２のハードディスクに記録されている映像信号及び音声信号をＬＡＮ４を介して送信する。メモリ１４は、ＣＰＵ１５の動作に必要な情報を記憶する。ＣＰＵ１５は、ＨＤＤレコーダ１の制御を司る。上記構成の他、ＨＤＤレコーダ１には、放送信号をデコードするデコーダや各部に電力を供給する電源回路等が備えられる。
【００２１】
本実施形態において、ＨＤＤレコーダ１は、ＤＬＮＡサーバとしての機能（以下、ＤＬＮＡ機能）を有効又は無効とする機能を備える。ＤＬＮＡ機能の有効化又は無効化は、ユーザによって設定される他、以下に示すように、クライアント機器の状態に応じて自動的に設定される。
【００２２】
図２は、本実施形態に係るホームネットワークの動作を示している。当初、ＨＤＤレコーダ１は、ＤＬＮＡ機能を無効にした状態で待機している（＃１）。請求項１におけるクライアント機器との間で起動情報以外の情報を送受信する機能を無効にした状態とは、この状態を意味し、起動情報を受信できる状態にある。この状態では、ＬＡＮインターフェース１３に対して電力が供給されている。メモリ１４、ＣＰＵ１５等には、待機状態を維持するために最小の電力が供給されている。
【００２３】
その後、ＤＬＮＡクライアント機器であるテレビジョン受像機２が起動されると（＃２において起動）、テレビジョン受像機２からＨＤＤレコーダ１に起動情報のパケットが送信される（＃３）。ここで送信されるパケットの例としては、ＬＡＮを介して離れた場所にある機器を起動させるＷａｋｅ−ｏｎ−ＬＡＮに使用されるマジックパケットが挙げられる。ＨＤＤレコーダ１がパケットを受信すると（＃５）、その内容を確認し、起動情報のパケットであれば（＃６において起動）、ＤＬＮＡ機能を有効にして待機する（＃７）。請求項１におけるクライアント機器との間で起動情報以外の情報を送受信する機能を有効にした状態とは、この状態を意味する。この状態で、メモリ１４及びＣＰＵ１５等に対して動作に必要な電力が供給され、ＨＤＤレコーダ１は、テレビジョン受像機２から各種の要求を受けることができる。例えば、テレビジョン受像機２からハードディスクに記録されているいずれかの番組ファイルの再生の要求を受けると、ＣＰＵ１５は、ハードディスク駆動装置１２を起動させて、該当する番組ファイルの映像信号及び音声信号をＬＡＮインターフェース１３を介して送信する。また、テレビジョン受像機２が終了されると、後述するように＃４に移行して、＃５、＃６を経てＤＬＮＡ機能を無効にして待機する（＃８）。
【００２４】
＃１において待機中に、起動していたテレビジョン受像機２が終了されると（＃２において終了）、テレビジョン受像機２からＨＤＤレコーダ１に終了情報のパケットが送信される（＃４）。ＨＤＤレコーダ１がパケットを受信すると（＃５）、その内容を確認し、終了情報のパケットであれば（＃６において終了）、ＤＬＮＡ機能を無効にして待機する（＃８）。請求項２におけるクライアント機器に対して起動情報以外の情報を送受信する機能を無効にした状態とは、この状態を意味する。
【００２５】
以上のように、本実施形態のネットワークシステムによれば、サーバ機器であるＨＤＤレコーダ１は、クライアント機器であるテレビジョン受像機２との間でＤＬＮＡ機能を無効にした状態で待機するので、この間ＣＰＵ１５等による制御回路に対する給電を不要又は最小限にすることができる。従って、テレビジョン受像機２の電源遮断時にＨＤＤレコーダ１の消費電力を低減することができる。また、テレビジョン受像機２から送信された起動情報を受信したとき、ＨＤＤレコーダ１は、テレビジョン受像機２との間でＤＬＮＡ機能を有効にした状態で待機するので、テレビジョン受像機２からの要求に迅速に対応することができる。
【００２６】
また、テレビジョン受像機２から送信された終了情報を受信したとき、ＨＤＤレコーダ１は、ＤＬＮＡ機能を無効にした状態で待機するので、一旦起動したテレビジョン受像機２が終了すると、ＣＰＵ１５等による制御回路に対する給電を不要又は最小限にすることができる。従って、テレビジョン受像機２の電源遮断時にＨＤＤレコーダ１の消費電力を低減することができる。
【００２７】
なお、本発明は上記実施形態の構成に限られることなく、少なくともＨＤＤレコーダ１は、クライアント機器に対してＤＬＮＡ機能を無効にした状態で待機し、クライアント機器から送信された起動情報を受信したとき、クライアント機器に対してＤＬＮＡ機能を有効とするように構成されていればよい。また、本発明は種々の変形が可能であり、例えば、ブルーレイプレーヤなどの光ディスクプレーヤ等にも適用可能である。
【符号の説明】
【００２８】
１    ＨＤＤレコーダ（サーバ機器）
２    テレビジョン受像機（クライアント機器）
３    パーソナルコンピュータ（サーバ機器、クライアント機器）
【図１】
2012234392.tif 000003
【図２】
2012234392.tif 000004